(57)【要約】【課題】構造の簡素化を図ることができるエレベータの操作盤を得る。【解決手段】かご操作盤３は、行き先階ボタン８を有するボタン装置７と、各行き先階ボタン８の選択の有無の情報を選択情報として受けるための制御基板６と、各ボタン装置７に設けられ、各選択情報を赤外線により制御基板６へ送るための赤外線装置１０と、赤外線の進行方向を変える反射板１５とを有している。制御基板６には、赤外線送信装置１３と赤外線受信装置１４とが設けられている。赤外線は、赤外線送信装置１３から、各赤外線装置１０を直列的に順次伝送されながら各選択情報が付加され、赤外線受信装置１４に至るようになっている。【選択図】図２
2006021906.tif 000002
【特許請求の範囲】
【請求項１】
操作ボタンを有する複数のボタン装置、
各上記操作ボタンの選択の有無の情報を選択情報として受けるための操作盤制御部、及び
各上記ボタン装置に設けられ、上記選択情報を赤外線により上記操作盤制御部へ送るための複数の赤外線装置
を備えていることを特徴とするエレベータの操作盤。
【請求項２】
上記操作盤制御部は、上記赤外線を送信する制御送信部と、上記赤外線を受信する制御受信部とを有しており、
上記赤外線は、上記制御送信部から、各上記選択情報が付加されながら各上記赤外線装置を直列的に順次伝送され、上記制御受信部へ送られるようになっていることを特徴とする請求項１に記載のエレベータの操作盤。
【請求項３】
各上記赤外線装置の少なくともいずれかは、上記赤外線の受信方向と、上記赤外線の送信方向とが互いに異なるようになっていることを特徴とする請求項１又は請求項２に記載のエレベータの操作盤。
【請求項４】
上記赤外線の進行方向を変えるための方向変換手段をさらに備えていることを特徴とする請求項１又は請求項２に記載のエレベータの操作盤。
【発明の詳細な説明】
【技術分野】
【０００１】
この発明は、例えばエレベータのかご内等に設けられるエレベータの操作盤に関するものである。
【背景技術】
【０００２】
従来のエレベータのかご内には、行き先階を選択するための操作盤が設けられている。操作盤には、複数の操作用の押しボタンが設けられている。各押しボタンは、複数のインターフェイス基板に搭載されている。各インターフェイス基板は、電線及びコネクタからなる接続ハーネスにより互いに電気的に接続されている（例えば、特許文献１参照）。
【０００３】
【特許文献１】特開平５−１５５５６５号公報
【発明の開示】
【発明が解決しようとする課題】
【０００４】
しかし、インターフェイス基板の数が多くなると、接続ハーネスの数も多くなってしまい、操作盤の構造が複雑になってしまう。これにより、操作盤内のメンテナンス作業に手間がかかってしまう。
【０００５】
この発明は、上記のような問題点を解決することを課題としてなされたものであり、構造の簡素化を図ることができるエレベータの操作盤を得ることを目的とする。
【課題を解決するための手段】
【０００６】
この発明に係るエレベータの操作盤は、操作ボタンを有する複数のボタン装置、各操作ボタンの選択の有無の情報を選択情報として受けるための操作盤制御部、及び各ボタン装置に設けられ、選択情報を赤外線により操作盤制御部へ送るための複数の赤外線装置を備えている。
【発明の効果】
【０００７】
この発明に係るエレベータの操作盤では、各操作ボタンの選択の有無の情報を赤外線により操作盤制御部へ送るための赤外線装置が各ボタン装置に設けられているので、各ボタン装置と操作盤制御部との間の情報伝達のために、多数の接続ハーネスを用いる必要がなくなり、操作盤内の構造の簡素化を図ることができる。
【発明を実施するための最良の形態】
【０００８】
実施の形態１．
図１は、この発明の実施の形態１によるエレベータのかご出入口を示す正面図である。図において、かごには、かご出入口１を開閉可能な一対のかごの戸２が設けられている。また、かご内のかご出入口１の側方には、行き先階を選択するための操作盤であるかご操作盤３が設けられている。かご出入口１の上方には、かごの着床階を表示する表示器４が設けられている。かご操作盤３及び表示器４は、エレベータの運転を制御するエレベータの制御装置（図示せず）に電気的に接続されている。
【０００９】
図２は、図１のかご操作盤３を示す背面図である。図において、かごの内壁に固定されたプレート５には、エレベータの制御装置との間で信号の授受を行う制御基板６と、制御基板６に対して間隔を置いて配置された複数のボタン装置７とが設けられている。
【００１０】
各ボタン装置７は、２列となるように上下方向へ並べられている。また、各ボタン装置７は、互いに間隔を置いて配置されている。さらに、各ボタン装置７は、かご内から操作可能な操作ボタンである行き先階ボタン８と、行き先階ボタン８が搭載されたプリント基板９とを有している。行き先階ボタン８は、押しボタンであり、押し操作により選択されるようになっている。各プリント基板９には、対応する行き先階ボタン８の選択の有無の情報が行き先階ボタン８から入力されるようになっている。
【００１１】
各プリント基板９の裏面には、行き先階ボタン８の選択の有無の情報を選択情報として赤外線により制御基板６へ送るための赤外線装置１０が設けられている。各赤外線装置１０は、赤外線を受ける受信部１１と、選択情報が付加された後の赤外線を送信するための送信部１２とを有している。選択情報は、プリント基板９により赤外線に付加される。
【００１２】
制御基板６の裏面には、赤外線装置１０へ赤外線を送るための赤外線送信装置１３と、赤外線装置１０からの赤外線を受けるための赤外線受信装置１４とが設けられている。赤外線送信装置１３から送信される赤外線には、予め設定された各行き先階の階床コードが制御基板６により付加されるようになっている。なお、操作盤制御部１６は、制御基板６、赤外線送信装置１３及び赤外線受信装置１４を有している。
【００１３】
プレート５にはまた、一方の列に配置された赤外線装置１０からの赤外線を反射して赤外線の進行方向へ変えるための方向変換手段であるアルミニウム製の反射板１５が設けられている。反射板１５は、互いに直角に配置された２つの反射面１５ａ，１５ｂを有している。これにより、一方の列に配置された赤外線装置１０からの赤外線は、反射面１５ａ及び反射面１５ｂの順で反射され、他方の列に配置された赤外線装置１０へ送られる。
【００１４】
赤外線送信装置１３から送信される赤外線は、一方の列に配置された各赤外線装置１０を直列的に順次伝送され、反射板１５で反射された後に、他方の列に配置された赤外線装置１０を直列的に順次伝送されて赤外線受信装置１４に至るようになっている。また、赤外線が各赤外線装置１０を伝送される際には、各行き先階の階床コードに対応する選択情報が赤外線に付加されるようになっている。
【００１５】
制御基板６は、赤外線受信装置１４で受けた赤外線に付加された各選択情報をエレベータの制御装置へ送るようになっている。また、制御基板６には、エレベータの制御装置からかごの着床階の情報を受けるようになっている。かごが行き先階に着床されると、制御基板６は、着床された行き先階の選択をリセットするようになっている。即ち、制御基板６は、赤外線受信装置１４で受けた赤外線に付加された各選択情報を、エレベータの制御装置からの情報に基づいて修正するようになっている。修正後の各選択情報は、赤外線に付加されて赤外線送信装置１３から送信される。
【００１６】
なお、各行き先階ボタン８には、ボタン灯（図示せず）が搭載されている。プリント基板９は、赤外線に付加された選択情報に基づいて点灯及び消灯のいずれかとなるようにボタン灯を制御するようになっている。また、各プリント基板９には、プレート５に対して絶縁された状態で各プリント基板９を固定するための金属製の取付部材（金属ねじ等）が設けられている。各プリント基板９への給電は、電源から各取付部材を介してなされるようになっている。さらに、かご操作盤３は、制御基板６、ボタン装置７、赤外線装置１０及び反射板１５を有している。
【００１７】
次に、動作について説明する。
各行き先階の階床コードは、制御基板６により赤外線に付加される。この後、赤外線が赤外線送信装置１３から送信される。赤外線送信装置１３から送信された赤外線は、一方の列に配置された各赤外線装置１０を順次伝送される。このとき、各ボタン装置７の行き先階に対応する階床コードにそれぞれの選択情報が付加される。この後、赤外線は、反射板１５によって反射され、他方の列に配置された各赤外線装置１０を順次伝送される。このときにも、各ボタン装置７の行き先階に対応する階床コードにそれぞれの選択情報が付加され、すべての階床コードに各選択情報が付加される。この後、赤外線は、赤外線受信装置１４に受信される。この後、赤外線受信装置１４で受信された赤外線から各選択情報が制御基板６により読み取られ、各選択情報は制御基板６からエレベータの制御装置へ送られる。
【００１８】
また、制御基板６には、かごの着床階の情報がエレベータの制御装置から常時入力されている。これにより、制御基板６では、かごの着床階の情報に基づいて、赤外線から読み取った各選択情報が修正される。即ち、制御基板６では、かごの着床階と一致する行き先階の選択のみがリセットされる。この後、修正後の各選択情報が赤外線に付加され、この赤外線が赤外線送信装置１３から再度送信される。
【００１９】
この後、赤外線は、各赤外線装置１０を順次伝送され、赤外線受信装置１４に受信される。このときの赤外線には各行き先階ボタン８の選択情報がすべて付加されているので、各ボタン装置７において、対応する選択情報が赤外線から各プリント基板９により読み取られる。この後、読み取られた選択情報に基づいて行き先階ボタン８の選択の有無が各プリント基板９で求められ、選択されている行き先階ボタン８のボタン灯が点灯され、選択されていない行き先階ボタン８のボタン灯が消灯される。
【００２０】
次に、赤外線に付加される階床コード及び選択情報について、さらに具体的に説明する。ここでは、簡単のために、行き先階が１階〜３階のみの３つのボタン装置７が設けられたかご操作盤について説明する。
【００２１】
図３は、この発明の実施の形態１による各行き先階の階床コードが赤外線に付加された状態を示す概念図である。各行き先階の階床コードは、ビットフレーム２１に格納された状態で制御基板６により赤外線に付加されるようになっている。ここでは、１階の階床コードが「０１」、２階の階床コードが「１０」、３階の階床コードが「１１」とされている。
【００２２】
また、ビットフレーム２１には、１階〜３階のそれぞれの階床コードに対応させて、行き先階ボタン８の選択の有無の情報が選択情報として付加されるようになっている。ここでは、行き先階ボタン８が選択されているときには「１」が付加され、行き先階ボタン８が選択されていないときには「０」が付加されるようになっている。
【００２３】
例えば、１階の行き先階ボタン８のみが選択された場合、図４に示すように、ビットフレーム２１の１階の階床コードに対応するフレーム部分には「１」が、ビットフレーム２１の２階及び３階のそれぞれの階床コードに対応するフレーム部分には「０」が順次付加される。
【００２４】
このようにして、各行き先階ボタン８の選択の有無の情報が選択情報として赤外線に付加され、付加後の赤外線が赤外線受信装置１４に受信される。これにより、制御基板６は、各選択情報を取得し、エレベータの制御装置に各選択情報を提供し、行き先階ボタン８のボタン灯を点灯あるいは消灯させる。
【００２５】
このようなかご操作盤３では、各行き先階ボタン８の選択の有無の情報を赤外線により制御基板６へ送るための赤外線装置１０が各ボタン装置７に設けられているので、各ボタン装置７と制御基板６との間の情報伝達のために、多数の接続ハーネスを用いる必要がなくなり、かご操作盤３内の構造の簡素化を図ることができる。これにより、かご操作盤３の製造にかかる時間を短縮することができ、かご操作盤３のメンテナンス作業にかかる手間も少なくすることができる。
【００２６】
また、制御基板６が赤外線送信装置１３及び赤外線受信装置１４を有し、赤外線は、赤外線送信装置１３から、各行き先階ボタン８の選択情報が付加されながら各赤外線装置１０を直列的に順次伝送され、赤外線受信装置１４へ送られるようになっているので、選択情報の伝送経路の複雑化を防止することができる。
【００２７】
また、かご操作盤３には、赤外線の進行方向を変えるための反射板１５が設けられているので、各赤外線装置１０を直線上だけでなく所望の位置に配置することができ、各ボタン装置７のレイアウト性の向上を図ることができる。これにより、かご操作盤３内のスペースの有効利用を図ることができる。
【００２８】
なお、上記の例では、各ボタン装置７に設けられた赤外線装置１０は、赤外線を受けた後に、受けた赤外線に選択情報を付加し、付加後の赤外線を送信するようになっているが、赤外線の受信の有無に関係なく、選択情報を付加した赤外線を個々の赤外線装置１０から赤外線受信装置１４へ送信するようにしてもよい。
【００２９】
実施の形態２．
図５は、この発明の実施の形態２によるかご操作盤３を示す背面図である。図において、各列に配置されたボタン装置７のうち、制御基板６から最も離れた２つのボタン装置７には、赤外線装置２５がそれぞれ設けられている。各赤外線装置２５の形状は、Ｌ字状とされている。各赤外線装置２５は、赤外線を受ける受信部１１と、選択情報が付加された後の赤外線を送信するための送信部１２とを有している。受信部１１はＬ字状の一端部に設けられ、送信部１２はＬ字状の他端部に設けられている。
【００３０】
赤外線装置２５の受信部１１で受ける赤外線の受信方向と、赤外線装置２５の送信部１２から送信される赤外線の送信方向とは、互いに異なるようになっている。この例では、赤外線装置２５は、送信方向が受信方向に対して垂直になるように赤外線を伝送するようになっている。
【００３１】
赤外線送信装置１３から送信された赤外線は、一方の列に配置された各赤外線装置１０、一方の赤外線装置２５、他方の赤外線装置２５及び他方の列に配置された各赤外線装置１０を直列的に順次伝送され、赤外線受信装置１４に至るようになっている。他の構成及び動作は実施の形態１と同様である。
【００３２】
このようなかご操作盤３では、赤外線装置２５は、受信方向と送信方向とが互いに異なるように赤外線を伝送するようになっているので、赤外線の進行方向を変えるための反射板等の方向変換手段を用いる必要がなくなり、かご操作盤３の省スペース化を図ることができる。
【００３３】
なお、各上記実施の形態では、かご内に設けられるかご操作盤にこの発明が適用されているが、各乗場に設けられる乗場操作盤にこの発明を適用してもよい。
【図面の簡単な説明】
【００３４】
【図１】この発明の実施の形態１によるエレベータのかご出入口を示す正面図である。
【図２】図１のかご操作盤を示す背面図である。
【図３】この発明の実施の形態１による各行き先階の階床コードが赤外線に付加された状態を示す概念図である。
【図４】図３のビットフレームに選択情報が付加された状態を示す概念図である。
【図５】この発明の実施の形態２によるかご操作盤を示す背面図である。
【符号の説明】
【００３５】
３  かご操作盤、６  制御基板、７  ボタン装置、１０，２５  赤外線装置、１３  赤外線送信装置（制御送信部）、１４  赤外線受信装置（制御受信部）、１５  反射板（方向変換手段）、１６  操作盤制御部。
【図１】
2006021906.tif 000003
【図２】
2006021906.tif 000004
【図３】
2006021906.tif 000005
【図４】
2006021906.tif 000006
【図５】
2006021906.tif 000007